(57)【要約】本発明は、２つの溝（１２，１４）が相対する面に且つその長手方向の軸（Ａ）上に形成されていると共に２つの側壁を有するブロック（１０）と、その第１端（２０）がブロック（１０）に接続可能であってその第２端（２８）が自由端である固定バンド（１６，１８）と、を備えた椎間インプラントに関する。椎間インプラントは、第１の接続手段（３４）を有すると共に固定バンド１６をスライド可能とする着脱式自動ロック型固定部材（３０，３２）を含む。ブロック（１０）の側壁（３６）は、着脱式自動ロック型固定部材（３０，３２）をブロック（１０）の側壁（３６）に固定するために第１の接続手段（３４）と共働可能な第２の接続手段（３８）を含む。
2004535846.tif 000002
【特許請求の範囲】
【請求項１】
２つの椎骨の各棘突起を収容可能な溝（１２，１４）が相対する２つの面に且つその長手方向の軸（Ａ）上に形成されていると共に２つの側壁を有するブロック（１０）と、
その第１端（２０）が前記ブロック（１０）に接続可能で、その第２端（２８）が自由端であって、少なくとも１つの棘突起の周囲を取り囲むことが可能な、前記棘突起を前記溝（１２，１４）内に保持するための固定バンド（１６，１８）と、
を備えた椎間インプラントにおいて、
前記椎間インプラントは、
第１の接続手段（３４）を有すると共に、第１の方向（Ｒ，Ｆ）については前記固定バンド（１６，１８）を並進可能且つスライド可能とすることができ、第１の方向（Ｒ，Ｆ）と反対の第２の方向については前記固定バンド（１６，１８）を並進不可能とすることができる、着脱式自動ロック型固定部材（３０，３２）を含み、
前記ブロック（１０）における２つの側壁（３６）のうち少なくとも１つに、前記着脱式自動ロック型固定部材（３０，３２）を前記ブロック（１０）における前記側壁（３６）に固定するため前記第１の接続手段（３４）と共働可能な、第２の接続手段（３８）が設けられており、
前記固定バンド（１６，１８）が前記第１の方向（Ｒ，Ｆ）に並進するときの前記自由端（２８）の動作によって、前記棘突起が前記溝（１２，１４）内に固定され、且つ、前記固定バンド（１６，１８）が前記ブロック（１０）に対して前記第２の方向に並進不可能となることを特徴とする椎間インプラント。
【請求項２】
前記着脱式自動ロック型固定部材（３０，３２）が、前記着脱式自動ロック型固定部材（３０，３２）における２つの端部（５６，５８）において結合する第１の主面（５２）及びその反対側の第２の主面（５４）と、前記第１及び第２の主面（５２，５４）に開口する中央スロット（６０）と、を有し、
前記固定バンド（１６，１８）が前記中央スロット（６０）を通過することによって、前記固定バンド（１６，１８）における前記第１端（２０）と前記中央スロット（６０）との間にある第１の部分（７０）が、前記固定バンド（１６，１８）における前記中央スロット（６０）と前記自由端である第２端（２８）との間にある第２の部分（７２）を、前記着脱式自動ロック型固定部材（３０，３２）の前記第１の主面（５２）における前記第１の端部（５６）に近接する部分に対して押圧し、前記固定バンド（１６，１８）が前記着脱式自動ロック型固定部材（３０，３２）に対して固定されることを特徴とする請求項１に記載の椎間インプラント。
【請求項３】
前記着脱式自動ロック型固定部材（３０，３２）は、前記固定バンド（１６，１８）に対する第１の摩擦手段を構成する角部（６２）が前記第１及び第２の主面（５２，５４）のそれぞれに形成されるように、その正中面（Ｍ）が前記第１の主面（５２）における前記第１の部分に対して鋭角（α）をなす中央スロット（６０）を備えていることを特徴とする請求項２に記載の椎間インプラント。
【請求項４】
前記着脱式自動ロック型固定部材（３０，３２）における前記端部のうち前記固定バンド（１６，１８）を支持する第２の端部（５８）が、前記固定バンド（１６，１８）に対する第２の摩擦手段を構成する角部（６４）が形成されるように、互いに傾斜した２つの面を有していることを特徴とする請求項２又は３に記載の椎間インプラント。
【請求項５】
前記第２の接続手段（３８）は、前記ブロック（１０）の前記側壁（３６）内に形成されたハウジングであって、前記ブロックの前記軸（Ａ）に実質的に平行に形成された対向する２つの縁部（４０，４２）に前記ブロックの前記側壁（３６）に実質的に直交する取付手段（４４）が設けられているハウジングを含み、
前記第１の接続手段（３４）は、
前記取付手段（４４）に支持されるように、且つ、前記固定バンドが前記ブロック（１０）に対して並進不可能となる前記第２の方向に対応する前記長手方向の軸（Ａ）に実質的に平行な方向について、前記着脱式自動ロック型固定部材（３０，３２）が前記ブロックに対して並進不可能となるように、前記着脱式自動ロック型固定部材（３０，３２）の側面から突出していることを特徴とする請求項１〜４のいずれか一項に記載の椎間インプラント。
【請求項６】
前記ハウジングは、前記着脱式自動ロック型固定部材（３０，３２）の前記第１の端部（５６）に対向する開口端（３９）を有し、
前記開口端（３９）を介して前記固定バンド（１６，１８）がスライド可能となっていることを特徴とする請求項５に記載の椎間インプラント。
【請求項７】
前記取付手段（４４）は、前記ハウジングにおける対向する２つの縁部（４０，４２）の外側において前記ブロックにおける前記側壁（３６）に実質的に直交するよう設けられた２つの細長の開口から少なくとも構成されており、
前記第１の接続手段（３４）は、前記側壁（３６）に直交する方向に前記細長の開口（４４）内に挿入されるように、前記着脱式自動ロック型固定部材（３０，３２）の前記側面から突出し且つ互いに一直線上に並列したスタッドから構成されていることを特徴とする請求項５又は６に記載の椎間インプラント。
【請求項８】
前記細長の開口（４４）は、入口部と閉鎖端部との間に弾性変形可能な緊縮部（４６）を有しており、
前記緊縮部（４６）が前記スタッド（３４）の圧入により変形することによって前記スタッド（３４）が前記閉鎖端部内で固定されるようになっていることを特徴とする請求項７に記載の椎間インプラント。
【請求項９】
棘突起の上部及び下部それぞれを取り囲むのに適した２つのバンド（１６，１８）と、
前記ブロック（１０）における２つの側壁（３６）に接続するのに適した２つの着脱式自動ロック型固定部材（３０，３２）と、を備えていることを特徴とする請求項１〜８のいずれか一項に記載の椎間インプラント。
【請求項１０】
前記ブロック（１０）及び前記着脱式自動ロック型固定部材（３０，３２）が共にプラスチック材料からなることを特徴とする請求項１〜９のいずれか一項に記載の椎間インプラント。
【発明の詳細な説明】
【技術分野】
【０００１】
本発明は、２つの椎骨の各棘突起を収容可能な溝が相対する２つの面に且つその長手方向の軸上に形成されたブロックを備えている椎間インプラントに関する。ブロックは、２つの側壁と、棘突起を溝内に保持するための少なくとも１つの固定バンドと、を有する。
【背景技術】
【０００２】
２つの椎骨それぞれの後部から突出した棘突起の間に挿入されるブロックを含む椎間インプラントは、各棘突起の互いに対する動作を制限するものであって、当該技術分野において周知である。このようなインプラントを脊椎に据え付けるには、ブロック挿入対象となる椎間の上側及び下側のスペースにおいて、２つの椎骨を連結する椎骨靭帯を摘出してさらにその靭帯の下部に固定バンドを挿入するための開口を形成する必要があり、長時間の外科的処置を要する。固定バンドを棘突起間に挿入する前に、固定バンドの第１端を（例えば溝のフランジ部の少なくとも１つを介して）ブロックに接続しておき、その後、固定バンドを椎間の開口に挿入して棘突起を取り囲むようにする。そして、溝のフランジ部の他方に固定バンドを接続する。このようにして、棘突起は固定バンドによってブロックの溝内に保持される。
【０００３】
ブロックを固定するのに単一の固定バンドを用いる場合は、固定バンドを対になったもう一方の溝におけるフランジ部の一方に到達するまでブロックの側壁に沿って延出し、もう一方の棘突起を取り囲み、もう一方の溝におけるフランジ部の他方に接続できるようになっている。
【発明の開示】
【発明が解決しようとする課題】
【０００４】
しかしながら、ブロックを２つの棘突起の間に設置するのは比較的迅速且つ容易にできるが、椎間のスペースが十分でないため、固定バンドをブロックに取り付けるのは非常に困難である。つまり、固定バンドにループや結び目を形成するのに比較的時間がかかり、これに要する時間が処置にかかる時間のうちの大半を占めてしまうことになる。
【０００５】
そこで、本発明の目的は、ブロック及び固定バンドを含み、迅速且つ容易に据え付け可能な椎間インプラントを提供することである。
【課題を解決するための手段および効果】
【０００６】
上記目的を達成するため、本発明によると、第１の接続手段を有すると共に、第１の方向については上記固定バンドを並進可能且つスライド可能とすることができ、第１の方向と反対の第２の方向については上記固定バンドを並進不可能とすることができる、着脱式自動ロック型固定部材を含み、上記ブロックにおける２つの側壁のうち少なくとも１つに、上記着脱式自動ロック型固定部材を上記ブロックにおける上記側壁に固定するため上記第１の接続手段と共働可能な、第２の接続手段が設けられており、上記固定バンドが上記第１の方向に並進するときの上記自由端の動作によって、上記棘突起が上記溝内に固定され、且つ、上記固定バンドが上記ブロックに対して上記第２の方向に並進不可能となる、椎間インプラントが提供される。
【０００７】
本発明に係る椎間インプラントの特徴は、２つの棘突起の間にブロックを挿入した後に、第２の接続手段が設けられたブロックに接続可能な第１の接続手段を有する着脱式自動ロック型固定部材を用いることにより、固定バンドをブロックに取り付ける方法にある。固定バンドの第１端をブロックに接続した状態で、ブロックが嵌合された椎間の上側又は下側のスペースに当該固定バンドを導入し、固定バンドの自由端である第２端を着脱式自動ロック型固定部材内に挿入した後、患者の体外へと出す。そして着脱式自動ロック型固定部材に通された固定バンドが外科医によってスライドされると、着脱式自動ロック型固定部材は、第１及び第２の接続手段の共働によってブロックに接続され、ブロックの側壁として機能する。ブロックの溝内に棘突起が保持されるよう棘突起を取り囲んだ固定バンドは、着脱式自動ロック型固定部材をブロックに接続した後、締め付けられる。固定バンドにおける自由端である第２端を第１の方向に並進させると、着脱式自動ロック型固定部材内で固定バンドに引張力が生じ、この引張力によって、固定バンドが第１の方向と反対の第２の方向に並進不可能となる。
【０００８】
本発明の特徴的な一実施形態では、上記着脱式自動ロック型固定部材が、上記着脱式自動ロック型固定部材における２つの端部において結合する第１の主面及びその反対側の第２の主面と、上記第１及び第２の主面に開口する中央スロットと、を有し、上記固定バンドが上記中央スロットを通過することによって、上記固定バンドにおける上記第１端と上記中央スロットとの間にある第１の部分が、上記固定バンドにおける上記中央スロットと上記自由端である第２端との間にある第２の部分を、上記着脱式自動ロック型固定部材の上記第１の主面における上記第１の端部に近接する部分に対して押圧し、上記固定バンドが上記着脱式自動ロック型固定部材に対して固定される。
【０００９】
上記構成において、固定バンドは、着脱式自動ロック型固定部材を部分的に取り囲み、第１の部分が第１の主面に対向し、着脱式自動ロック型固定部材の第２の端部に支持され、中央スロットを通過する。そして、固定バンドにおける第１の主面上に導出された第２の部分が、第１の主面と第１の部分との間に配置され、第１の部分と平行になる。固定バンドにおける第１の部分は、着脱式自動ロック型固定部材における第１の端部に沿った第１の主面を含む平面に実質的に平行な、棘突起の周囲を取り囲んだ固定バンドの一部から直接延出された部分である。また、固定バンドの自由端である第２端は、第１の部分と第１の主面との間の第２の部分から延出されている。この第２端を引っ張ることで、第１の部分に引張力が生じる。固定バンドを引っ張れば引っ張るほど、固定バンドにおける第２の部分が第１の部分によって第１の主面に対して強く押圧され、当該部分が着脱式自動ロック型固定部材に対して確実に固定される。
【００１０】
本発明の特に好ましい特徴において、着脱式自動ロック型固定部材は、上記固定バンドに対する第１の摩擦手段を構成する角部が上記第１及び第２の主面のそれぞれに形成されるように、その正中面が上記第１の主面における上記第１の部分に対して鋭角をなす中央スロットを備えている。この構成によると、着脱式自動ロック型固定部材内における固定バンドの動きが、中央スロットの内壁により形成された角部と第１の主面における第１の部分とによって、また中央スロットの内壁により形成された角部と第２の主面の一部とによって、抑制される。さらに、着脱式自動ロック型固定部材における上記端部のうち固定バンドを支持する第２の端部が、上記固定バンドに対する第２の摩擦手段を構成する角部が形成されるように、互いに傾斜した２つの面を有しているのが好ましい。
【００１１】
本発明の好ましい一実施形態において、上記第２の接続手段は、上記ブロックの上記側壁内に形成されたハウジングであって、上記ブロックの上記軸に実質的に平行に形成された対向する２つの縁部に上記ブロックの上記側壁に実質的に直交する取付手段が設けられているハウジングを含み、上記第１の接続手段は、上記取付手段に支持されるように、且つ、上記固定バンドが上記ブロックに対して並進不可能となる上記第２の方向に対応する上記長手方向の軸に実質的に平行な方向について、上記着脱式自動ロック型固定部材が上記ブロックに対して並進不可能となるように、上記着脱式自動ロック型固定部材の側面から突出している。
【００１２】
上記構成によると、着脱式自動ロック型固定部材は、少なくとも一部がハウジング内に組み込まれることにより、ブロックの長手方向の軸に実質的に平行な方向（特に、棘突起に固定バンドを取り付ける際に締め付ける方向に対応する上記第２の方向）に並進不可能となる。第１の接続手段は、着脱式自動ロック型固定部材の側面から突出しているため、締め付けの際に固定バンドが引っ張られるときに取付手段に支持される。
【００１３】
さらに、上記ハウジングは、上記着脱式自動ロック型固定部材の上記第１の端部に対向する開口端を有し、上記開口端を介して上記固定バンドがスライド可能となっていることが好ましい。この場合、固定バンドは、並進されて開口端の壁部近傍に導かれ、そこで固定バンドにおける第２の部分が押圧されることにより、第１の主面を含む平面に実質的に平行に保持される。固定バンドにおける第１の主面に対向する部分の一方が棘突起に向けて、他方が第２端に向けて、それぞれ延長され、一方は棘突起を取り囲み、他方は中央スロットを通過後に第１の主面に対して上記第２の部分を押圧する。固定バンドはループを形成し、その２つの端部が上記開口端から導出される。
【００１４】
本発明の好ましい一実施形態において、上記取付手段は、上記ハウジングにおける対向する２つの縁部の外側において上記ブロックにおける上記側壁に実質的に直交するよう設けられた２つの細長の開口から少なくとも構成されており、上記第１の接続手段は、上記側壁に直交する方向に上記細長の開口内に挿入されるように、上記着脱式自動ロック型固定部材の上記側面から突出し且つ互いに一直線上に並列したスタッドから構成されている。
【００１５】
上記構成によると、棘突起を溝内に固定するため固定バンドを並進させるとき、着脱式自動ロック型固定部材が上記第２の方向に平行に並進され、上記細長の開口が形成された縁部にスタッドが支持されることにより、着脱式自動ロック型固定部材が固定される。さらに、上記細長の開口は、入口部と閉鎖端部との間に弾性変形可能な緊縮部を有しており、上記緊縮部が上記スタッドの圧入により変形することによって上記スタッドが上記閉鎖端部内で固定されるようになっていることが好ましい。この場合、上記側壁に押圧され嵌合されることにより、着脱式自動ロック型固定部材は特に強固に側壁に固定される。
【００１６】
さらに、上記インプラントは、棘突起の上部及び下部それぞれを取り囲むのに適した２つのバンドと、上記ブロックにおける２つの側壁に接続するのに適した着脱式自動ロック型固定部材と、を備えていることが好ましい。この場合、２つの棘突起はそれぞれ別個に上記ブロックに接続される。
【００１７】
さらに、本発明の特に好ましい一実施形態において、上記ブロック及び上記着脱式自動ロック型固定部材は共にプラスチック材料からなる。
【００１８】
本発明における他の特徴や効果は、非制限の実施例として挙げられる本発明の特定の実施形態に関する以下の説明によって、明確となるであろう。以下の説明は、添付図面を参照するものとする。
【発明を実施するための最良の形態】
【００１９】
図１には、長手方向の軸Ａを有するブロック１０を含む椎間インプラントが示されている。ブロックには、相対する面に且つ軸Ａ上に、上側溝１２及び下側溝１４の２つの溝１２，１４が形成されている。各溝１２，１４は、棘突起を収容可能である。ブロックは、２つの椎骨における棘突起の間に設置され、２つの棘突起の互いに対する動きを抑制するものである。
【００２０】
本実施形態のインプラントは、テープ状の２つの固定バンド１６，１８をさらに含む。各固定バンド１６，１８の第１端は、対角上にあるフランジ部２２，２４にそれぞれ接続されている。各フランジ部２２，２４に固定バンドの第１端２０を接続するには、各フランジ部２２，２４の端部を貫通する穴２６が用いられる。より詳細には、固定バンドの第１端２０を上記穴に通してループを形成した後縫合することによって、固定バンドの第１端２０が各フランジ部２２，２４に接続される。固定バンド１６，１８の第１端２０は、一般に、外科的処置を行う前にフランジ部２２，２４に接続される。
【００２１】
本実施形態のインプラントにおける特徴の１つは、２つの着脱式自動ロック型固定部材３０，３２を用いて固定バンドの第２端２８を取り付ける方法にあって、各固定バンド１８，１６は着脱式自動ロック型固定部材３０，３２内に通されてＦ，Ｒで示す方向にスライド可能となる。ところが、後に詳述するように、固定バンド１８，１６は引張力を受けるとＦ，Ｒで示す方向と反対の方向には並進不可能となる。
【００２２】
着脱式自動ロック型固定部材３０，３２は、固定バンド１６，１８をブロック１０に取り付けるのに用いられる。さらに着脱式自動ロック型固定部材３０，３２は、ブロック１０を椎間のスペースに設定した後であって且つ固定バンド１６，１８を着脱式自動ロック型固定部材３０，３２内に挿入した後に、ブロック１０に接続することができる。
【００２３】
上記を達成するため、着脱式自動ロック型固定部材３０，３２は、当該部材３０，３２の側面から突出するスタッドから構成された第１の接続手段３４を有する。図１には椎間インプラントの一方側が示されており、図示されていない他方側は垂直平面に関してこの一方側と対称である。つまり、スタッド３４は、着脱式自動ロック型固定部材３０，３２の側面に、対になって配置されている。また、ブロック１０の側壁３６は、少なくともその一方の端部３９が開口されたハウジングから構成された第２の接続手段３８を含む。ハウジング３８における対向する２つの縁部４０，４２は、互いに平行且つブロック１０の軸Ａに平行に形成されていると共に、取付手段を構成する細長の開口４４を有する。もちろん、ハウジング３８における対向する２つの縁部４０，４２の間隔は、着脱式自動ロック型固定部材３０，３２における２つの相対する側壁の間隔より長く、着脱式自動ロック型固定部材３０，３２はその少なくとも一部がハウジング３８内に組み込まれるようになっている。
【００２４】
ハウジング３８における対向する縁部４０，４２の外側には、それぞれ２つの細長の開口が一対となって形成されている。これら細長の開口は、着脱式自動ロック型固定部材３０，３２における側壁から突出したスタッド３４と共働可能である。したがって、各縁部４０，４２における２つの細長の開口の間隔は、着脱式自動ロック型固定部材３０，３２の各側壁における２つのスタッド３４の間隔とほぼ等しい。
【００２５】
また、細長の開口４４は、入口部と閉鎖端部との間に弾性変形可能な緊縮部４６を有する。この緊縮部４６により、緊縮部４６の幅よりもはるかに大きな径を有するスタッド３４が細長の開口４４内に圧入可能となっている。なお、細長の開口４４における閉鎖端部の幅とスタッド３４の径とが一致するのは明らかである。
【００２６】
ブロック１０及び着脱式自動ロック型固定部材３０，３２は共にプラスチック材料からなり、細長の開口４４における閉鎖端部内にスタッドが挿入されるよう、緊縮部４６及びスタッド４４が弾性変形可能な程度に十分小さい弾性係数を有している。なお、スタッド３４と細長の開口４４との共働に関する上述の説明は、全てのスタッド３４及び細長の開口４４に当てはまる。このようにして、着脱式自動ロック型固定部材３０，３２は各ハウジング３８内に組み込み可能であって、固定部材３０はＴの方向、固定部材３２はＰの方向に沿って、それぞれ各ハウジング３８内に組み込まれる。着脱式自動ロック型固定部材３０，３２がブロック１０の側壁内に組み込まれると、４つのスタッド３４は４つの細長の開口４４における閉鎖端部に配置される。スタッド３４は、着脱式自動ロック型固定部材３０，３２及びブロック１０に引張力を加えて緊縮部４６を再び変形させない限りは、抜けないようになっている。
【００２７】
図２は、２つの着脱式自動ロック型固定部材３０，３２が各ハウジング３８内に組み込まれた状態の、椎間インプラントを示す。以下、図１及び図２を参照しつつ、固定バンド１６，１８を並進不可能とする着脱式自動ロック型固定部材の構成について述べていく。
【００２８】
なお、以下は一方の着脱式自動ロック型固定部材３０についての記述であるが、もう一方の着脱式自動ロック型固定部材３２についても同様である。
【００２９】
図２には、さらに固定バンド１８が示されている。ここでは固定バンド１８の第１端２０がフランジ部２４に接続され、固定バンドの一部分５０は図示しない棘突起を保持可能な溝１４に対向している。そして固定バンド１８は、さらに溝１４のもう一方のフランジ部の方向へと延出されている。固定バンド１８は、このもう一方のフランジ部において、着脱式自動ロック型固定部材３０と再結合する。上述のように、固定バンド１８は、着脱式自動ロック型固定部材３０をハウジング３８内に組み込む前に、着脱式自動ロック型固定部材３０内に挿入される。
【００３０】
着脱式自動ロック型固定部材３０は、第１の主面５２及びその反対側の第２の主面５４を有する。これら２つの反対側の主面５２，５４は、着脱式自動ロック型固定部材３０における第１の端部５６及び第２の端部５８において結合する。着脱式自動ロック型固定部材３０はさらに、第１の主面５２及び第２の主面５４に開口する中央スロット６０を有する。中央スロット６０の正中面Ｍは第１の主面５２における第１の部分に対して鋭角α（例えば３０°）をなし、これにより角部６２が形成されている。さらに、着脱式自動ロック型固定部材３０における第２の端部５８は、角部６４が形成されるように互いに傾斜した２つの面を有する。また、中央スロット６０は第１の主面と第２の端部５８との間において開口しており、これにより角部６６が形成されている。
【００３１】
上述した構成によって、着脱式自動ロック型固定部材３０に対して、固定バンド１８が並進不可能となる。また、着脱式自動ロック型固定部材３０がハウジング３８内に固定されることから、固定バンド１８はブロック１０に対しても並進不可能となる。
【００３２】
上記を達成するため、着脱式自動ロック型固定部材をブロック１０の側壁内に組み込む前に、例えば椎間の下側のスペースにおいて椎骨靭帯の後ろ側に固定バンドを通した後に、固定バンド１８の自由端２８を着脱式自動ロック型固定部材内に挿入し、着脱式自動ロック型固定部材３０における第２の主面５４から中央スロット６０内を通し、そして患者の体外へと出す。着脱式自動ロック型固定部材３０は、ブロック１０の側壁として機能する。これは、第１の主面が上記側壁に対向するように、且つ、固定バンド１８において椎間の下側のスペースから延びてきた部分と自由端である第２端２８により延出された部分とが着脱式自動ロック型固定部材３０の開口端３９から導出されるように、固定バンド１８に沿って着脱式自動ロック型固定部材３０をスライドすることによって実現される。この場合、固定バンド１８における椎間の下側のスペースから延びてきた部分は、着脱式自動ロック型固定部材３０における第１の主面を押圧し、第２の端部５８を取り囲み、第２の主面５４の一部を押圧し、そして中央スロットを通って第１の主面５２上に導出され、第１の主面５２における第１の端部５６に近接する部分を押圧する。
【００３３】
この場合、固定バンド１８に引張力が生じるように且つブロック１０が棘突起に固定されるように固定バンド１８における自由端である第２端２８を引っ張ると、固定バンド１８における第１の部分７０によって第２の部分７２が第１の主面に対して押圧される。このとき摩擦力が生じ、固定バンド１８における上記部分７０，７２が互いに固定される。図２においては簡略化のため固定バンド１８を１つの線で示しているが、固定バンド１８は厚みを有し、この構成の着脱式自動ロック型固定部材３０及びブロック１０において上記２つの部分７０，７２が接触可能となっている。
【００３４】
着脱式自動ロック型固定部材３０内において固定バンド１８を引っ張れば引っ張るほど、固定バンド１８における上記２つの部分７０，７２は共に強く押圧されることになり、さらに、例えば角部６２，６６によって構成される摩擦手段によって固定バンドをＦと反対の方向について並進不可能にすることがより効果的に実現される。このように、固定バンド１８は、ブロック１０に対して並進不可能になり、ブロック１０を棘突起に対して固定する。
【００３５】
当然のことながら、全く対称に、ブロック１０は固定バンド１６及び着脱式自動ロック型固定部材３２を用いることでもう一方の棘突起を保持する。
【図面の簡単な説明】
【００３６】
【図１】本発明に係るインプラントの側面を示す分解図である。
【図２】図１における本発明に係るインプラントの据え付け後における縦断面図である。
【符号の説明】
【００３７】
１０  ブロック
１２，１４  溝
１６，１８  固定バンド
３０，３２  着脱式自動ロック型固定部材
Ａ  長手方向の軸
【図１】
2004535846.tif 000003
【図２】
2004535846.tif 000004
【国際公開パンフレット】
2004535846.tif 000005
2004535846.tif 000006
2004535846.tif 000007
2004535846.tif 000008
2004535846.tif 000009
2004535846.tif 000010
2004535846.tif 000011
2004535846.tif 000012
2004535846.tif 000013
2004535846.tif 000014
2004535846.tif 000015
2004535846.tif 000016
2004535846.tif 000017
2004535846.tif 000018
2004535846.tif 000019
2004535846.tif 000020
2004535846.tif 000021
2004535846.tif 000022
2004535846.tif 000023
【国際調査報告】
2004535846.tif 000024
2004535846.tif 000025
2004535846.tif 000026
2004535846.tif 000027
2004535846.tif 000028
2004535846.tif 000029